(57)【要約】【課題】器具本体にランプを誤装着することを防止するため、器具本体に装着されたランプを不用意に取り外すことができない構造の照明器具を提供することである。【解決手段】照明器具は、光源であるランプ１を装着する器具本体２と、該器具本体２からの前記ランプ１の取り外しを規制するランプホルダ３と、を備える。前記ランプホルダ３は、前記ランプ１の移動範囲を制限する規制部３１と、前記器具本体２に逆止的に係止する逆止係止部３２と、を有する。前記器具本体２は、前記逆止係止部３２を係止する被係止部２３を有するものである。【選択図】図２
2014096230.tif 000002
【特許請求の範囲】
【請求項１】
光源であるランプを装着する器具本体と、
該器具本体からの前記ランプの取り外しを規制するランプホルダと、を備え、
前記ランプホルダは、前記ランプの外周面に対向する規制部と、前記器具本体に逆止的に係止する逆止係止部と、を有し、
前記器具本体は、前記逆止係止部を係止する被係止部を有する、
ことを特徴とする照明器具。
【請求項２】
前記被係止部は、前記器具本体に形成される孔又は溝であり、
前記逆止係止部は、係止柱と、該係止柱の端部から外側へと延設する変形可能な逆止片とを有し、
前記係止柱の外形寸法は、前記孔又は前記溝の開口幅寸法よりも小さく、
前記逆止片の外形寸法は、前記孔又は前記溝の開口幅寸法よりも大きい、請求項１に記載の照明器具。
【請求項３】
前記ランプホルダは、少なくとも一部が透光性を有する、請求項１又は請求項２に記載の照明器具。
【請求項４】
前記規制部は、弾性変形する、請求項１から請求項３のいずれか１項に記載の照明器具。
【請求項５】
前記規制部は、前記逆止係止部側の幅が最も広い、請求項１から請求項４のいずれか１項に記載の照明器具。
【請求項６】
前記規制部の外周面には、リブが設けられている、請求項１から請求項５のいずれか１項に記載の照明器具。
【請求項７】
光源であるランプを装着する器具本体を備える照明器具のランプホルダであって、
前記ランプの移動範囲を制限する規制部と、
前記器具本体に逆止的に係止するための逆止係止部と、を備え、
前記器具本体に設けられる被係止部に前記逆止係止部を係止することにより、前記器具本体から前記ランプを取り外すことを規制する、ことを特徴とするランプホルダ。
【発明の詳細な説明】
【技術分野】
【０００１】
本発明は、照明器具の技術、特に、ランプの誤装着を防止するための照明器具の技術に関する。
【背景技術】
【０００２】
従来、例えば直管形蛍光灯等のランプを使用する照明器具が知られている。直管形蛍光灯の場合、その両端部にある口金（端子）を器具本体の両端に設けられたランプソケットに挿入することで、器具本体に装着される。特許文献１に示すように、その装着状態を強固とするため、ランプソケットとは別途に、ランプを着脱可能とするランプホルダを設けている照明器具の技術は公知となっている。
【先行技術文献】
【特許文献】
【０００３】
【特許文献１】特開２０１０−２４４９３８号公報
【発明の概要】
【発明が解決しようとする課題】
【０００４】
ところで、近年の節電意識の高まりにおいて、白熱灯や蛍光灯に比べて消費電力が低く寿命が長い、種々の形状のＬＥＤランプが普及してきている。
ＬＥＤランプには、口金の形状や寸法等が従来の白熱灯や蛍光灯と同じものがあるため、例えば、ユーザーが誤ってＬＥＤランプ用でない器具本体に対してＬＥＤランプを取り付けてしまう場合があり得る。このように、同形状の白熱灯、蛍光灯、およびＬＥＤランプが混在する中で、器具本体に対応していないランプに取り替えると、組み合わせによっては様々な不具合が生ずる恐れがある。
本発明は、上記の問題を解決すべくなされたものである。本発明の解決しようとする課題は、器具本体にランプを誤装着することを防止するため、器具本体に装着されたランプを不用意に取り外すことができない構造の照明器具を提供することである。
【課題を解決するための手段】
【０００５】
本発明の解決しようとする課題は以上の如くであり、次にこの課題を解決するための手段を説明する。
【０００６】
即ち、本願に開示する照明器具は、光源であるランプを装着する器具本体と、該器具本体からの前記ランプの取り外しを規制するランプホルダと、を備え、前記ランプホルダは、前記ランプの外周面に対向する規制部と、前記器具本体に逆止的に係止する逆止係止部と、を有し、前記器具本体は、前記逆止係止部を係止する被係止部を有するものである。
【０００７】
本願に開示する照明器具は、上記構成を基本として、以下のような様々な態様をとることができる。
本願に開示する照明器具において、前記器具本体に形成される孔又は溝であり、前記逆止係止部は、係止柱と、該係止柱の端部から外側へと延設する変形可能な逆止片とを有し、前記係止柱の外形寸法は、前記孔又は前記溝の開口幅寸法よりも小さく、前記係止片の外形寸法は、前記孔又は前記溝の開口幅寸法よりも大きい構成とすることが好ましい。
【０００８】
本願に開示する照明器具において、前記ランプホルダは、少なくとも一部が透光性を有する構成とすることが好ましい。
【０００９】
本願に開示する照明器具において、前記規制部は、弾性変形する構成とすることが好ましい。
【００１０】
本願に開示する照明器具において、前記規制部は、前記逆止係止部側の幅が最も広い構成とすることが好ましい。
【００１１】
本願に開示する照明器具において、前記規制部の外周面には、リブが設けられている構成とすることが好ましい。
【００１２】
本願に開示するランプホルダは、光源であるランプを装着する器具本体を備える照明器具のランプホルダであって、前記ランプの移動範囲を制限する規制部と、前記器具本体に逆止的に係止するための逆止係止部と、を備え、前記器具本体に設けられる被係止部に前記逆止係止部を係止することにより、前記器具本体から前記ランプを取り外すことを規制するものである。
【発明の効果】
【００１３】
本発明の効果として、以下に示すような効果を奏する。
【００１４】
本願に開示する構成によれば、被係止部が逆止係止部を係止した状態において、ランプホルダは器具本体から容易に取り外すことができない。さらに、規制部がランプの移動範囲を制限しているので、器具本体に装着されたランプを不用意に取り外すことを防止できる。
【図面の簡単な説明】
【００１５】
【図１】本発明の実施形態に係る照明器具の全体的な構成を示す側面図。
【図２】ランプホルダの一方を装着した状態を示す斜視図。
【図３】図１におけるＩＩ−ＩＩ線簡略断面図。
【図４】図１におけるＩＩＩ線矢視図。
【図５Ａ】ランプホルダの正面図。
【図５Ｂ】ランプホルダの側面図。
【図６Ａ】ランプホルダを装着前の照明器具の状態を示す図。
【図６Ｂ】ランプホルダを装着後の照明器具の状態を示す図。
【図７Ａ】被係止部に挿入途中の逆止係止部の状態を示す図。
【図７Ｂ】被係止部に挿入後の逆止係止部の状態を示す図。
【図８Ａ】被係止部に挿入途中の逆止係止部の状態を示す図。
【図８Ｂ】被係止部に挿入後の逆止係止部の状態を示す図。
【発明を実施するための形態】
【００１６】
本発明の実施形態に係る照明器具１０について説明する。以下の説明では、特段のことわりが無い限り、照明器具１０が組み立てられた状態における方向で各部材を説明する。
【００１７】
図１は、本発明の実施形態に係る照明器具の全体的な構成を示す側面図である。図２は、照明器具の斜視図である。
照明器具１０は、ＬＥＤ（ｌｉｇｈｔ−ｅｍｉｔｔｉｎｇ  ｄｉｏｄｅ）を光源とするランプ１を用いる照明器具である。なお、光源は、ＬＥＤに限らず、蛍光灯、有機エレクトロルミネッセンス照明など、他の光源であってもよい。図１に示すように、照明器具１０は、天井等の取付面８に直付け、あるいは吊り下げられるものである。なお、図１に示すＸ軸方向を「長手方向」と定義し、Ｙ軸方向を「厚さ方向」と定義し、Ｚ軸方向を「幅方向」と定義する。
【００１８】
照明器具１０は、主として、ランプ１を装着する器具本体２、ランプ１が器具本体２から取り外されることを規制するランプホルダ３を備えている。また、ランプ１は、直管形つまり棒状のＬＥＤランプとし、その長手方向の両端部には、器具本体２と電気的に接続するための端子が形成されている。
【００１９】
器具本体２は、照明器具１０の主たる構造物である。器具本体２は、主として収容部２１、接続部２２、及び被係止部２３を有している。
【００２０】
収容部２１は、熱伝導性を備えるアルミニウム等の金属板で板金加工により箱状に形成されている。収容部２１は、ランプ１を点灯させるための電源装置や点灯装置等が収容される部分である。収容部２１は、内部に電源装置や点灯装置等を収容するための高さ（厚さ方向寸法）及び幅方向寸法が確保されるとともに、長手方向寸法はランプ１が装着可能な長さとされている。収容部２１の上面（厚さ方向の上側の面）は、取付面８に取り付け可能に形成される。収容部２１の下面（上面の反対側）は、ランプ１が装着される側であり、ランプ１から上側へ向かって放出される光を下方へと反射させる反射板の役割を果たす。
【００２１】
接続部２２は、ランプ１に備わる端子を挿入可能な穴と、穴の内部に配置される接続端子とを備える。接続部２２は、ランプ１に備わる端子を接続端子に接続することで、ランプ１を機械的に保持することができるとともに、電源装置や点灯装置から端子及び接続端子を介してランプ１に電力を供給することができる。接続部２２は、一般的なランプソケットである。接続部２２は、収容部２１内の電源装置や点灯装置と電気的に接続されている。接続部２２は、収容部２１の長手方向の両端にそれぞれ一つずつ配置されている。接続部２２は、ランプ１の両端部を保持するため、収容部２１の内部から収容部２１の下方へと突出して設けられている。つまり、ランプ１は、その両端部にある端子を接続部２２・２２の穴に挿入することで、器具本体２に保持される。また、接続部２２におけるランプ１との接続部分は、ランプ１の長手方向にやや移動可能に構成されている。
【００２２】
被係止部２３は、ランプホルダ３を係止するためのものでる。被係止部２３は、収容部２１の厚さ方向における下部に設けられている。被係止部２３は、厚さ方向に貫通する孔であるため形成し易い。被係止部２３は、ランプ１の光を遮光しづらい位置である接続部２２・２２の近傍に設けられている。器具本体２に対してランプホルダ３が２か所設けられるので、被係止部２３は収容部２１の下部に４か所形成される。
【００２３】
なお、被係止部２３は、１つのランプホルダ３に対して、一対のみであるが、被係止部２３をさらに複数箇所に設けてもよい。また、被係止部２３は、貫通孔に限らず、例えば有底穴であってもよいし、収容部２１の厚みが厚い場合は溝状に形成することもある。また、被係止部２３は、ランプ１を取り外しにくくするため、器具本体２の長手方向中央に配置することも考えられる。本実施形態のランプ１は直管形で、器具本体２は箱型であるが、環状のランプや器具本体等、他の形状であってもよい。また、器具本体２に２つのランプホルダ３・３を設けているが、器具本体やランプの形状によっては、１か所又は３か所以上設けてもよい。
【００２４】
次に、ランプホルダ３について図３から図５を用いて説明する。
図３は、図１のＩＩ−ＩＩ線における簡略断面図である。図４は、図１におけるＩＩＩ線矢視図である。図５Ａは、ランプホルダの正面図である。図５Ｂは、ランプホルダの側面図である。
【００２５】
ランプホルダ３は、器具本体２に装着されているランプ１の移動範囲（厚さ方向及び幅方向への移動）を規制し、器具本体２から容易に取り外せないようにするためのものである。ランプホルダ３は、一例として、ポリカーボネート等の合成樹脂によって構成されている。ランプホルダ３は、少なくとも弾性変形する材料で形成されていればよく、弾性変形するものであれば樹脂に限らず、金属等であってもよい。ランプホルダ３は器具本体２に装着された状態において、ランプ１から放射する光を遮光させにくいように、少なくとも光が当たる部分は、透光性のある透明または半透明とすることが望ましい。本実施形態では、ランプホルダ３の全体を透明としている。ランプホルダ３は、主として規制部３１と逆止係止部３２を有している。
【００２６】
規制部３１は、前記ランプの外周面に対向しランプ１の移動範囲を規制する部分であり、図３に示すようにＵ字状に形成されている。規制部３１の内寸法は、ランプ１の外周面が接触するように、又はランプ１の外周面との間にやや隙間ができる寸法に形成されている。規制部３１の外側面には、規制部３１の剛性を向上させるため、線状のリブ３３が外側へ突出するように形成されている。なお、リブ３３は、規制部３１の剛性を確保できれば、省略することができる。また、図５Ｂに示す側面視において、規制部３１は、逆止係止部３２側つまり固定側の幅Ｗ１が、ランプ１側つまり下側の幅Ｗ２よりも大きい。このような寸法関係にすることで、ランプホルダ３全体の剛性が向上するとともに、規制部３１におけるランプ１の光が当たる又は通過する部分の面積を小さくすることができるため、ランプホルダ３がランプ１の光を遮光しにくくなる。図５Ａに示すように、規制部３１には、両端部から外側へと突出する板状の鍔部３４・３４がそれぞれ形成されている。
【００２７】
逆止係止部３２は、図３から図５に示すように、器具本体２に形成した孔である被係止部２３に逆止的に係止する、つまり被係止部２３に挿入し係止され、いったん係止されると被係止部２３との係止状態が容易に解除できない部分である。逆止係止部３２は、鍔部３４を介して規制部３１に連設している。逆止係止部３２は、主として、係止柱３５および逆止片３６・３６を有している。
【００２８】
係止柱３５は、柱状に形成している部分であり、鍔部３４の上面から上方に突出するように設けられている。係止柱３５の外形寸法は、被係止部２３である孔の直径（開口幅寸法）よりも、小さくなるように設定している。逆止片３６・３６は、係止柱３５の上端部から斜め下方に延設している部分であり、一つの係止柱３５を挟んで一対となるように設けている。逆止片３６と係止柱３５との隙間は、下方に向かうにしたがって広くなるように設定している。さらに、逆止片３６の自由端部と鍔部３４との隙間は、収容部２１の被係止部２３の周囲の厚さよりもやや大きくなるように設定している。逆止係止部３２は、全体として略矢印状に形成され、外側の面が上端から下端へと広がるテーパー状に形成されている。逆止片３６の下端部の平面視における外形寸法は、被係止部２３である孔の直径（開口幅寸法）よりも、やや大きくなるように設定している。つまり、逆止片３６の下端部は、被係止部２３である孔の周辺に接触するように設定している。
【００２９】
次に、器具本体２に対してランプ１およびランプホルダ３を取り付ける方法について説明する。
【００３０】
図６Ａは、ランプホルダを装着前の照明器具の状態を示す図である、図６Ｂは、ランプホルダを装着後の照明器具の状態を示す図である。図７Ａは、被係止部に挿入途中の逆止係止部の状態を示す図である。図７Ｂは、被係止部に挿入後の逆止係止部の状態を示す図である。図８Ａは、被係止部に挿入途中の逆止係止部の状態を示す図である。図８Ｂは、被係止部に挿入後の逆止係止部の状態を示す図である。
【００３１】
まず、図６Ａに示すように、ランプ１の両端部をそれぞれ接続部２２・２２に挿入することで、器具本体２にランプ１を装着する。次に、ランプホルダ３を矢印Ａに示す方向へ変位させて、孔である被係止部２３・２３へランプホルダ３の逆止係止部３２を挿入する（図２参照）。つまり、図７Ａに示すように、ランプホルダ３の逆止係止部３２の先端部が、収容部２１の下方から被係止部２３へと挿入される。このとき、逆止係止部３２の先端部は、被係止部２３の直径よりも小さいため容易に被係止部２３を介して収容部２１内へと挿入することができる。さらに、被係止部２３が収容部２１内へと挿入されると、逆止片３６・３６が被係止部２３の内周面に押されて係止柱３５側へと弾性変形し、いったん逆止係止部３２の外形寸法が小さくなる。次に、逆止片３６・３６の外側面と被係止部２３とが接触した状態が解消されると、図７Ｂに示すように、逆止片３６・３６は、被係止部２３の直径よりも大きな元の形状へと戻る。つまり、ランプホルダ３を上方に押し上げるだけで、逆止係止部３２は被係止部２３に容易に挿入することができる。
【００３２】
すると、逆止係止部３２は、逆止片３６・３６の下端部が収容部２１の内面と対向するため、被係止部２３抜けなくなる。この状態を「係止状態」と定義する。さらに、逆止係止部３２は、被係止部２３に係止された状態において、収容部２１から外に露出することがない。そのため、被係止部２３と逆止片３６・３６との係止状態を容易に解除することができない。また、逆止片３６・３６の下端部と鍔部３４の上面とで、被係止部２３周辺の収容部２１を挟持する状態となる。そのため、規制部３１を大きく動かしても被係止部２３と逆止係止部３２との係止状態は容易に解除されない。そして、被係止部２３が逆止係止部３２を係止した状態では、ランプホルダ３は器具本体２から容易に取り外すことができない。規制部３１がランプ１の移動範囲を制限することになるので、器具本体２に装着されたランプ１を容易に取り外すことができない。したがって、器具本体２に装着されたランプ１を不用意に取り外すことを防止でき、器具本体２に不適切なランプが装着されることを防止することができる。
【００３３】
このように、規制部３１と逆止係止部３２を一体的に構成することで、部品点数を削減でき、ドライバ等の固定具を用いることなく容易にランプホルダ３を被係止部２３へと係止することができる。
【００３４】
他方、ランプ１を交換する場合、ランプホルダ３の規制部３１をニッパ等の切断具を用いて切断し、ランプ１の移動範囲を広くすることで、ランプ１を器具本体２から取り外す。又は、器具本体２を分解して、逆止片３６・３６を係止柱３５側へ押圧することで、逆止係止部３２の下部の外形寸法を小さくし、被係止部２３の下方へと逆止係止部３２を移動させることで、被係止部２３と逆止係止部３２の係止状態を解消し、ランプ１を器具本体２から取り外す。この２つの方法が考えられるが、両者とも非常に困難な作業を要することとなる。そのため、器具本体２に不適切なランプが装着されることが防ぐことができる。
【００３５】
本実施形態の一対の被係止部２３・２３間の間隔寸法は、図３に示すように、逆止係止部３２・３２の一対の係止柱３５・３５間の間隔寸法と略同じとなるように設定することが好ましい。なお、ランプホルダ３の規制部３１は弾性変形するため、一対の係止柱３５・３５間の間隔寸法が被係止部２３・２３間の間隔寸法よりも短かったり長かったりする器具本体であっても、逆止係止部３２の位置を被係止部２３・２３に合わせて挿入することができる。つまり、被係止部２３・２３に対して高い位置精度が求められないため、収容部２１およびそれを含む器具本体２の製造コストを低減することができる。
【００３６】
また、別実施形態として、図８に示すランプホルダ３ａも考えられる。
【００３７】
具体的には、図８に示すように、器具本体２に形成される孔である被係止部２３ａが一つのランプホルダ３ａに対して２つでなく、１つ形成される。ランプホルダ３ａは、規制部３１ａが略環状に形成され、規制部３１ａの両端部には、逆止係止部３２ａ・３２ａがそれぞれ形成されている。逆止係止部３２ａは、係止柱３５ａ及び逆止片３６ａを有している。係止柱３５ａは、規制部３１ａの端部から上方へと突出するように設けられた柱状の部分である。規制部３１ａの上端部から逆止片３６ａが斜め下方へと突出するように設けられている。
【００３８】
このランプホルダ３ａは、係止柱３５ａ・３５ａの対向する側を合わせて、１つの被係止部２３ａへと逆止係止部３２ａ・３２ａをともに挿入する。そして、挿入後は、係止柱３５ａ・３５ａの対向する側が離れ、逆止片３６ａ・３６ａの端部が被係止部２３ａの周囲の収容部２１と接触することで係止状態が保持される。
【符号の説明】
【００３９】
１      ランプ
２      器具本体
３      ランプホルダ
８      取付面
１０    照明器具
２１    収容部
２２    接続部
２３    被係止部
３１    規制部
３２    逆止係止部
３３    リブ
３４    鍔部
３５    係止柱
３６    逆止片
Ｗ１    器具本体側の幅
Ｗ２    ランプ側の幅
３ａ    ランプホルダ
２３ａ  被係止部
３１ａ  規制部
３５ａ  係止柱
３６ａ  逆止片
【図１】
2014096230.tif 000003
【図２】
2014096230.tif 000004
【図３】
2014096230.tif 000005
【図４】
2014096230.tif 000006
【図５Ａ】
2014096230.tif 000007
【図５Ｂ】
2014096230.tif 000008
【図６Ａ】
2014096230.tif 000009
【図６Ｂ】
2014096230.tif 000010
【図７Ａ】
2014096230.tif 000011
【図７Ｂ】
2014096230.tif 000012
【図８Ａ】
2014096230.tif 000013
【図８Ｂ】
2014096230.tif 000014